(57)【要約】  【課題】  携帯性に優れ、ファッショナブルに携帯することができ、衛生的で使い勝手の良い局部洗浄器を提供する。  【解決手段】  洗浄液を貯留するための貯留タンク１２と、該貯留タンク１２の出入口側に連結されて洗浄液の吸引及び噴射を行なうポンプ・噴射部１４とを備える。ポンプ・噴射部１４は、スプリング２８により付勢された押しボタン２２と、該押しボタン２２に設けられた噴射孔を有する噴射部３３とを有して、押しボタン２２の押圧により洗浄液を噴射部３３から噴射すると共に、貯留タンク１２よりもポンプ・噴射部１４が下方にある状態で貯留タンク１２内の洗浄液を吸引可能となっている。【選択図】  図１
2006006409.tif 000002
【特許請求の範囲】
【請求項１】
洗浄液を貯留するための貯留タンクと、該貯留タンクの出入口側に連結されて洗浄液の吸引及び噴射を行なうポンプ・噴射部とを備えた携帯可能な、局部洗浄するための携帯用局部洗浄器であって、
前記ポンプ・噴射部は、弾性体により反貯留タンク方向へと付勢された押しボタンと、該押しボタンに設けられ噴射孔を有する噴射部とを有して、押しボタンの押圧により洗浄液を噴射部から噴射すると共に、貯留タンクよりもポンプ・噴射部が下方にある状態で貯留タンク内の洗浄液を吸引可能であることを特徴とする携帯用局部洗浄器。
【請求項２】
前記ポンプ・噴射部は、貯留タンク内へと伸びて貯留タンク内の洗浄液を吸引するチューブを有しており、該チューブは、貯留タンク内で折り返されて、その端部が前記押しボタンへ接近する方向へと伸びることを特徴とする請求項１記載の携帯用局部洗浄器。
【請求項３】
前記ポンプ・噴射部は、貯留タンクに臨むタンク側入口を備えており、該タンク側入口の周囲には、貯留タンク側から該タンク側入口に向けて漸次内径が小さくなる漏斗部が設けられることを特徴とする請求項１記載の携帯用局部洗浄器。
【請求項４】
前記ポンプ・噴射部は、貯留タンクの出入口側に対して着脱可能に連結されることを特徴とする請求項１ないし３のいずれか１項に記載の携帯用局部洗浄器。
【請求項５】
前記貯留タンク内へは、前記出入口を通して、別途の洗浄液が密封された充填用洗浄液カプセルを開封して得られる洗浄液を充填可能であることを特徴とする請求項４記載の携帯用局部洗浄器。
【請求項６】
ポンプ・噴射部の押しボタンを覆うことができポンプ・噴射部に対して着脱可能となったキャップと、
ポンプ・噴射部から取り外された前記キャップを、貯留タンクに対して拘束する拘束手段と、をさらに備えることを特徴とする請求項１ないし５のいずれか１項に記載の携帯用局部洗浄器。
【請求項７】
前記拘束手段は、ストラップ部材であることを特徴とする請求項６記載の携帯用局部洗浄器。
【請求項８】
ポンプ・噴射部の押しボタンを覆うことができポンプ・噴射部に対して着脱可能となったキャップと、
ポンプ・噴射部から取り外された前記キャップを貯留タンクの反出入口側に連結する連結手段と、をさらに備えることを特徴とする請求項１ないし５のいずれか１項に記載の携帯用局部洗浄器。
【請求項９】
ポンプ・噴射部の押しボタンを覆うと共に押しボタンに対して回転可能となったキャップをさらに備え、
前記キャップは、回転位置に応じて前記噴射部と整合可能となった開口を有することを特徴とする請求項１ないし５のいずれか１項に記載の携帯用局部洗浄器。
【請求項１０】
キャップの開口が噴射部と整合したときにのみキャップ及び押しボタンの押圧を許容するガイド手段をさらに備えることを特徴とする請求項９記載の携帯用局部洗浄器。
【請求項１１】
請求項５記載の貯留タンク内へ洗浄液を充填するための洗浄液が密封された充填用洗浄液カプセル。
【発明の詳細な説明】
【技術分野】
【０００１】
本発明は、ファッショナブルに携帯することができ、衛生的で使い勝手が良く、外陰部または肛門等付近の局部を洗浄することができる携帯用局部洗浄器に関する。
【背景技術】
【０００２】
従来、この種の携帯用衛生洗浄器としては、例えば、特許文献１（特開平１１−１６４７９１号公報）、特許文献２（特開平１１−５６６７０号公報）、特許文献３（登録実用新案第３０６１８６７号公報）、特許文献４（特開２００１−７０１９５号公報）等に開示されたものが知られている。
【０００３】
これらに開示された洗浄器は、概略、貯留タンクと、先端にノズル孔を有するノズル管とを有して、ノズル管が貯留タンクに対して出入り可能となっており、使用時には、ノズル管を貯留タンクより引き出して、貯留タンクを押圧することでノズル管の先端のノズル孔から液体を局部へと噴射させて使用し、非使用時にはノズル管を貯留タンク内へと挿入して収納することができるようになっている。
【０００４】
しかしながら、このような洗浄器では、貯留タンクが、押圧しやすいよう柔軟な材料からなり膨らんだ形状をなしており、見栄えが悪く、ファッショナブルとは言い難く、バッグなどに若い女性が収納して携帯するのには適していない、という問題がある。また、ノズル管を引き出す操作が必要であり、手間がかかる。さらには、押圧する貯留タンクの位置と、液体が噴射するノズル孔との位置が離れることになるため、適切に局部に向けて液体を噴射させることが難しいという問題がある。特に、目視しにくい部分であるため、人間の身体の感覚で操作をしなければならないのであるが、少なくともノズル管の長さ分の位置ズレは、噴射位置の精度を悪化させることにつながり、液体を余計な部位に撒き散らすおそれがある。
【０００５】
また、これらの洗浄器は、基本的に使い捨てであるため、液体を使い切ると、容器ごと、新しいものに替えなければならない、という問題がある。
【０００６】
これに対して、特許文献５（特開平７−２５５６３８号公報）では、貯留タンクに開閉自在となった蓋体を設けており、該蓋体を開扉して、水道水の蛇口から水を貯留タンクに補給し得るようになっている。しかしながら、蓋体を備えた貯留タンクが嵩張るために、携帯性が悪く、上述の公報に記載された洗浄器と同様に、見栄えが悪くファッショナブルではない、という問題がある。さらには、ポンプ内蔵であるために、より携帯性が悪いという問題を有している。
【０００７】
【特許文献１】特開平１１−１６４７９１号公報
【特許文献２】特開平１１−５６６７０号公報
【特許文献３】登録実用新案第３０６１８６７号公報
【特許文献４】特開２００１−７０１９５号公報
【特許文献５】特開平７−２５５６３８号公報
【発明の開示】
【発明が解決しようとする課題】
【０００８】
本発明は、かかる従来の問題点に鑑みなされたもので、携帯性に優れ、若い女性でも苦にすることなくファッショナブルに携帯することができ、衛生的で使い勝手の良い局部洗浄器を提供することをその目的とする。
【課題を解決するための手段】
【０００９】
前述した目的を達成するために、請求項１記載の発明は、洗浄液を貯留するための貯留タンクと、該貯留タンクの出入口側に連結されて洗浄液の吸引及び噴射を行なうポンプ・噴射部とを備えた携帯可能な、局部洗浄するための携帯用局部洗浄器であって、
前記ポンプ・噴射部は、弾性体により反貯留タンク方向へと付勢された押しボタンと、該押しボタンに設けられ噴射孔を有する噴射部とを有して、押しボタンの押圧により洗浄液を噴射部から噴射すると共に、貯留タンクよりもポンプ・噴射部が下方にある状態で貯留タンク内の洗浄液を吸引可能であることを特徴とする。
【００１０】
請求項２記載の発明は、請求項１記載の前記ポンプ・噴射部が、貯留タンク内へと伸びて貯留タンク内の洗浄液を吸引するチューブを有しており、該チューブは、貯留タンク内で折り返されて、その端部が前記押しボタンへ接近する方向へと伸びることを特徴とする。折り返し部は蛇腹状にすると好ましい。
【００１１】
請求項３記載の発明は、請求項１記載の前記ポンプ・噴射部が、貯留タンクに臨むタンク側入口を備えており、該タンク側入口の周囲には、貯留タンク側から該タンク側入口に向けて漸次内径が小さくなる漏斗部が設けられることを特徴とする。
【００１２】
請求項４記載の発明は、請求項１ないし３のいずれかに記載の前記ポンプ・噴射部が、貯留タンクの出入口側に対して着脱可能に連結されることを特徴とする。
【００１３】
請求項５記載の発明は、請求項４記載のものにおいて、前記貯留タンク内へは、前記出入口を通して、別途の洗浄液が密封された充填用洗浄液カプセルを開封して得られる洗浄液を充填可能であることを特徴とする。
【００１４】
請求項６記載の発明は、請求項１ないし５のいずれかに記載のものにおいて、
ポンプ・噴射部の押しボタンを覆うことができポンプ・噴射部に対して着脱可能となったキャップと、
ポンプ・噴射部から取り外された前記キャップを、貯留タンクに対して拘束する拘束手段と、をさらに備えることを特徴とする。
【００１５】
請求項７記載の発明は、請求項６記載の前記拘束手段が、ストラップ部材であることを特徴とする。
【００１６】
請求項８記載の発明は、請求項１ないし５のいずれかに記載のものにおいて、
ポンプ・噴射部の押しボタンを覆うことができポンプ・噴射部に対して着脱可能となったキャップと、
ポンプ・噴射部から取り外された前記キャップを貯留タンクの反出入口側に連結する連結手段と、をさらに備えることを特徴とする。
【００１７】
請求項９記載の発明は、請求項１ないし５のいずれかに記載のものにおいて、
ポンプ・噴射部の押しボタンを覆うと共に押しボタンに対して回転可能となったキャップをさらに備え、
前記キャップは、回転位置に応じて前記噴射部と整合可能となった開口を有することを特徴とする。
【００１８】
請求項１０記載の発明は、請求項９記載のものにおいて、キャップの開口が噴射部と整合したときにのみキャップ及び押しボタンの押圧を許容するガイド手段をさらに備えることを特徴とする。
【００１９】
請求項１１記載の発明は、請求項５記載の貯留タンク内へ洗浄液を充填するための洗浄液が密封された充填用洗浄液カプセルを特徴とする。
【発明の効果】
【００２０】
本発明によれば、ポンプ・噴射部を貯留タンクよりも下方にした状態にして、噴射部を局部に対向させて、押しボタンを押圧することにより、洗浄液を局部に向けて噴射させることができる。噴射部が押しボタンに設けられているために、操作位置と噴射位置とは接近しており、噴射位置を感覚的に正確に把握することができる。よって、例え噴射位置を目視で確認することができなくとも、結果として、噴射するべき身体位置と噴射位置との相対的位置関係を正確に把握することができて、正しい位置に洗浄液を吹き付けることができる。
【００２１】
洗浄液は噴霧状で吹き付けられるため、液垂れを起こすことなく、広がって跳ねることもなく、局部にある陰毛内も洗浄することができる。こうして、局部付近を洗浄して、生理時や排便後のむれや臭いを防ぐこともできる。
【００２２】
洗浄液を噴射するために貯留タンクを押圧する必要はなく、貯留タンクはコンパクトにシンプルに構成することができ、全体的に貯留タンク及びポンプ・噴射部とからなる構成をコンパクト且つスマートにすることができて、若い女性であってもファッショナブルに携帯することができるようになる。
【００２３】
ポンプ・噴射部は、貯留タンクよりもポンプ・噴射部が下方にある状態で貯留タンク内の洗浄液を吸引可能であるために、使い勝手良く確実に貯留タンクの洗浄液を吸引して使用することができる。請求項２または請求項３記載の発明によれば、貯留タンクの洗浄液の残量が少なくなっても、貯留タンクよりもポンプ・噴射部が下方にある状態で洗浄液を使用することができる。
【００２４】
請求項４記載の発明によれば、貯留タンクの洗浄液を使い切ってしまった後は、ポンプ・噴射部を取り外すことにより、貯留タンクに洗浄液を補充することができるようになり、洗浄器の容器自体は再利用することができる。
【００２５】
請求項５及び１１記載の発明によれば、補充用または充填用として、洗浄液をカプセルの形態で保存することができ、カプセルをユーザが開封して、洗浄液を貯留タンクに流入させることで、初めの利用または再利用を可能にすることができる。貯留タンクの出入口を介して洗浄液を充填することができ、貯留タンクをコンパクトに且つシンプルに構成することができる。
【００２６】
請求項６及び７記載の発明によれば、不使用時は、キャップによって押しボタンを保護することができ、使用時はキャップを取り外して押しボタンを露出させることができる。洗浄器使用時に、拘束手段によってキャップは貯留タンクに対して拘束されるために、使用中のキャップの落下・遊び・紛失を防ぐことができる。
【００２７】
請求項８記載の発明によれば、不使用時は、キャップによって押しボタンを保護することができ、使用時はキャップを取り外して押しボタンを露出させることができる。洗浄器使用時に、連結手段によってキャップを貯留タンクに対して連結することにより、使用中のキャップの落下・遊び・紛失を防ぐことができる。
【００２８】
請求項９及び１０記載の発明によれば、不使用時は、キャップによって押しボタンを保護することができ、使用時はキャップを回転させてキャップの開口と押しボタンの噴射部とを整合させることにより、噴射部を露出させることができる。洗浄器使用時に、キャップを取り外す必要はないので、使用中のキャップの落下・遊び・紛失を防ぐことができる。
【発明を実施するための最良の形態】
【００２９】
以下、図面を用いて本発明の実施の形態を説明する。
【００３０】
図１は、本発明による局部洗浄器を表す全体断面図である。図において、局部洗浄器１０は、大まかに、洗浄液Ｌが貯留される貯留タンク１２と、洗浄液Ｌの吸引及び噴射を行なうポンプ・噴射部１４と、ポンプ・噴射部１４の保護を行なうキャップ１６とから構成され、ハンドバック、ポーチ、ポケット及び必須ではないが好ましくは掌にコンパクトに収まるような寸法及び形状となっている。
【００３１】
貯留タンク１２は、ガラス、硬質プラスチック等の耐衝撃性、耐薬品性等に優れた任意の材料から構成されるとよい。
【００３２】
洗浄液Ｌは、水、精製水、消毒薬（例えば、グルコン酸クロルヘキシジン）が希釈化された水等とすることができる。
【００３３】
貯留タンク１２の洗浄液Ｌが貯留される本体部１２ａの形状は任意の形状とすることができるが、前述のようにハンドバック、ポーチ、ポケット及び好ましくは掌にコンパクトに収まるような例えば、有底の円筒形、三角筒、四角筒、多角筒形といった形状とすることができる。本体部１２ａの上部には洗浄液の出入口１２ｃを画成する縮径された首部１２ｂが一体に形成されており、首部１２ｂにはネジ部が形成されている。
【００３４】
貯留タンク１２の首部１２ｂには、ポンプ・噴射部１４が着脱可能に連結される。ポンプ・噴射部１４は、任意の構成が可能であるが、この例では、首部１２ｂのネジ部に螺着されるスリーブ２０と、スリーブ２０の先端開口部２０ａに対して摺動可能に嵌合されて、先端開口部２０ａから突出する押しボタン２２と、押しボタン２２に連結されて先端開口部２０ａを摺動するピストンパイプ２４と、スリーブ２０の内部に係止されて貯留タンク１２内へと伸びてピストン室を画成するピストンスリーブ２６と、ピストンスリーブ２６内のピストン室に配置されて、ピストンパイプ２４を介して押しボタン２２を貯留タンク１２と反対方向へと常時付勢する弾性体としてのスプリング２８と、ピストンスリーブ２６のタンク側入口２６ａから伸びる可撓性チューブ３０と、スリーブ２０の先端開口部２０ａにおいてピストンパイプ２４との摺動部分に配設されるパッキン３１と、首部１２ｂ付近に設けられたパッキン３４及びガイド３５と、を有している。
【００３５】
押しボタン２２の側面の一部には、前記ピストンパイプ２４と連通する噴射用小孔が形成された噴射部３３が設けられる。
【００３６】
可撓性チューブ３０は、貯留タンク１２内へと伸びて、貯留タンク１２内を折り返して、Ｊ字状またはＵ字状となっており、その先端３０ａは首部１２ｂの付近まで伸びている。可撓性チューブ３０の先端３０ａは、好ましくは、噴射部３３が向いている方向と周方向で見て反対の方向に位置づけられるとよい。先端３０ａは、貯留タンク１２の壁面に対して少し離れていてもよく、または壁面に接触していてもよい。
【００３７】
可撓性チューブ３０の折り返し部３０ｂは単なる折り返し部となっていても良いが、図示したように、伸縮可能な蛇腹状となっているとよい。これにより、鋭角に折り返すことで折り返し部がつぶれてしまうことを防ぐことができ、可撓性チューブ３０を貯留タンク１２に出し入れした後でも形状を確実に復元でき、また、その出し入れする際に、折り返し部３０ｂをより鋭角に折り返して窄めて出し入れを行なうことができる。また、温度変化によってチューブ３０の伸縮があったとしてもその伸縮を蛇腹で吸収することができる。
【００３８】
また、可撓性チューブ３０の長さは任意であるが、後述のように、貯留タンク１２の底部近くまで伸びた後、折り返す程度にある程度の長さがあると良い。
【００３９】
さらには、図５に示したように、可撓性チューブ３０には、折り返し部３０ｂを跨いで連結部３０ｃが設けられていてもよく、これにより、可撓性チューブ３０の折り返しが固定されており、可撓性チューブ３０を貯留タンク１２内に出し入れする際に、可撓性チューブ３０の折り返し部３０ｂの折り返し度合いが確保される。
【００４０】
キャップ１６は、ポンプ・噴射部１４のスリーブ２０に着脱可能に被着される。キャップ１６と貯留タンク１２との間は、完全に分離可能とすることもできるが、使用の際に、キャップ１６の処分に困ることのないように、キャップ１６は、貯留タンク１２に対して拘束されていることが好ましい。このため、キャップ１６と貯留タンク１２またはポンプ・噴射部１４との間は、拘束手段としての線状または帯状のストラップ部材４０によって連結されているとよい。このため、図１の例では、貯留タンク１２の首部１２ｂの外周部にリング部材４２が装着されている。リング部材４２には受け部４２ａが形成されており、該受け部４２ａにストラップ部材４０の一端が連結されている。リング部材４２は、ハンドバック内等で他の収納物と共に収納される場合に他の収納物との干渉を防ぎ、他の収納物に与える損傷も低減させることができるように、ゴム製やプラスチック製とするとよい。また、ストラップ部材４０は、水分に強く衛生的なものがよく、ゴム製、軟質プラスチック製、ビーズ付きナイロン糸等の合成繊維製等のものとすることができ、デザインに優れたストラップとしてファッション性を高めることができる。ストラップ部材４０の他端は、キャップ１６に形成された受け部１６ａに連結されている。
【００４１】
以上のように構成される局部洗浄器を使用する際には、図２に示すように、キャップ１６を取り外して、局部洗浄器１０全体を倒立かまたはそれから少し斜めに傾けて、ポンプ・噴射部１４が貯留タンク１２よりも下方になるような状態で、ポンプ・噴射部１４の押しボタン２２を押圧する。すると、ポンプ・噴射部１４のポンプ作用により、洗浄液が吸引されて噴射部３３より噴射される。可撓性チューブ３０が折り返されてその先端３０ａが貯留タンク１２の首部１２ａ付近にまで伸びており、先端３０ａが洗浄液の中に浸かっているために、貯留タンク１２からの洗浄液はポンプ・噴射部１４へと供給される。
【００４２】
噴射部３３は、押しボタン２２に設けられているため、押しボタン２２の操作を指で行なう際に、操作位置と噴射位置とは接近してほとんど同じ位置にあるから、ユーザが噴射位置を感覚的に把握することができる。よって、例え噴射位置を目視で確認することができなくとも、結果として、噴射するべき身体位置と噴射位置との相対的位置関係を正しく把握することができて、正しい位置に洗浄液を吹き付けることができる。
【００４３】
洗浄液は噴霧状で吹き付けられるため、液垂れを起こすことなく、広がって跳ねることもなく、局部の陰毛内も洗浄することができる。こうして、局部を洗浄して、生理時や排便後のむれや臭いを防ぐこともできる。
【００４４】
キャップ１６は、ストラップ部材４０によって拘束されており、キャップ１６またはストラップ部材４０を手で押さえることによって、使用中のキャップ１６の落下・遊び・紛失を防止することができる。
【００４５】
尚、局部への洗浄液噴射後、可撓性チューブ３０内に洗浄液が残っているので、ポンプ・噴射部１４が上向きとなっている状態でも押しボタン２２を数回押圧して洗浄液を噴射させることができ、手を洗浄することもできる。可撓性チューブ３０の全長が長いとポンプ・噴射部１４が上向きで噴射できる回数が多くなるため便利となる。
【００４６】
使用後は、キャップ１６をポンプ・噴射部１４を覆うようにして被着すると、押しボタン２２が保護されるため、不用意に押しボタン２２が押されることもなく、洗浄液が噴出することもない。
【００４７】
使用により貯留タンク１２内の洗浄液の残量が少なくなるが、可撓性チューブ３０が折り返されているために、残量がゼロに近くなるまで使い切ることができる。
【００４８】
残量の洗浄液がゼロまたはゼロに近くなると、ポンプ・噴射部１４と貯留タンク１２との螺合を外して、ポンプ・噴射部１４を貯留タンク１２から取り出して、貯留タンク１２の出入口１２ｃを通して貯留タンク１２内に洗浄液を補充する。このための充填用洗浄液カプセル５０の例を図３に示す。充填用洗浄液カプセル５０の各カプセルは、１回分の補充量（貯留タンク１２の容量に対応しているとよい）ごとに区分けされて密封されている。カプセル５０を開封して、図４に示すように、貯留タンク１２内へと移し変えることにより、衛生的に補充を行なうことができる。
【００４９】
また、充填用洗浄液カプセル５０は補充用として使用するだけでなく、ユーザ自身が新品の空の貯留タンク１２に充填用洗浄液カプセル５０を用いて最初に洗浄液を詰めることにしてもよい。
【００５０】
次に、図６は、本発明の他の実施形態を表す図である。図において、図１の実施形態と同一の部材は同一の符号を用いてその詳細説明を省略する。この実施形態では、ピストンスリーブ２６のタンク側入口２６ａは、直接貯留タンク１２の本体部１２ａと首部１２ｂとの境界付近において、タンク内に臨んでいる。そして、ピストンスリーブ２６のタンク側入口２６ａの周囲には、テーパー状の漏斗部２６ｂが形成されている。
【００５１】
貯留タンク１２の洗浄液Ｌの残量が少なくなっても、漏斗部２６ｂによって、タンク側入口２６ａ内へと洗浄液Ｌが誘導されるため、ポンプ・噴射部１４へと洗浄液Ｌを確実に供給することができ、貯留タンク１２内の洗浄液Ｌを使い切ることができる。
【００５２】
図７は、キャップ１６を貯留タンク１２に対して拘束・連結する拘束手段及び連結手段の様々な例を表している。図７（ａ）〜（ｅ）は拘束手段としてのストラップ部材４０を用いた例であり、図７（ｆ）は連結手段としてのネジを用いた例である。
【００５３】
図７（ａ）は図１に示した例に該当するが、これに限るものではなく、図７（ｂ）に示したように、キャップ１６の受け部１６ａがキャップ１６の反貯留タンク１２側の端部に設けられていてもよく、図７（ｃ）に示したように、キャップ１６の受け部１６ａが全体の形状から突出しないように凹部に形成されていてもよい。ハンドバック内等で他の収納物と共に収納されることを考慮すると、突出部がなるべく少ない方が他の収納物との干渉を防ぎ、他の収納物に与える損傷も低減させることができるからである。
【００５４】
また、図７（ｄ）に示したように、ゴム製またはプラスチック製のリング部材４２を貯留タンク１２の本体部１２ａの外周側に嵌め込んでもよく、図７（ｅ）に示したように、貯留タンク１２の本体部１２ａに、ストラップ部材４０の一端が連結される受け部１２ｅを形成してもよい。
【００５５】
図７（ｆ）に示した例では、貯留タンク１２の底部の外周面にネジ部１２ｆを形成し、他方、キャップ１６の頂部の内周面に該ネジ部１２ｆに螺合するネジ部１６ｂを形成しており、ネジ部１２ｆ、１６ｂが連結手段を構成する。図７（ｆ）の例の場合は、使用の際に、キャップ１６を取り外した後、そのネジ部１６ｂを貯留タンク１２のネジ部１２ｆに螺合することで、キャップ１６を貯留タンク１２と一体的に結合させて、使用中のキャップ１６の落下、遊び、紛失を防ぐことができる。図７（ｆ）の場合には、ストラップ部材４０、受け部１２ａ、４２ａは省略可能である。また、結合手段による結合としては、ネジ部１２ｆ、１６ｂのような螺合による結合とする代わりに嵌合・係止による結合とすることも可能である。
【００５６】
図８は、キャップ１６を貯留タンク１２に対して連結するための他の結合手段の例を表している。貯留タンク１２の底部に補助のゴム製またはプラスチック製のソケット部材４４が装着され、該ソケット部材４４には、ネジ部４４ｂが形成されている。他方、キャップ１６の内周面に該ネジ部４４ｂに螺合するネジ部１６ｂが形成されている。このネジ部４４ｂとネジ部１６ｂとで、連結手段が構成される。４４ａ は受け部である。
【００５７】
使用の際に、キャップ１６を取り外した後、そのネジ部１６ｂをソケット部材４４のネジ部４４ｂに螺合することで、キャップ１６を貯留タンク１２と一体的に結合させて、使用中のキャップ１６の落下、遊び、紛失を防ぐことができる。貯留タンク１２に直接ネジ部を形成しなくてもよいので、容易に製造することができるようになる。
【００５８】
図９は、本発明の他の実施形態を表す図である。図において、図１の実施形態と同一の部材は同一の符号を用いてその詳細説明を省略する。この実施形態では、キャップ１６をポンプ・噴射部１４に対して着脱することなく、キャップ１６をポンプ・噴射部１４に対して回転させることで、使用・非使用を切替可能とした例であり、キャップ１６は押しボタン２２の外側に相対回転可能に配設される。
【００５９】
キャップ１６の側面には開口１６ｃが形成されており、キャップ１６を回転すると、適当な位置において、開口１６ｃが前記押しボタン２２の噴射部３３と整合するようになっている。
【００６０】
従って、使用の際には、キャップ１６を回転させて、開口１６ｃを噴射部３３に整合させた状態で、キャップ１６を直接押圧すると、押しボタン２２が押圧されて噴射部３３から洗浄液が噴射される。
【００６１】
キャップ１６を取り外すことなく使用することができるので、使い勝手を向上させることができ、キャップ１６の落下・遊び・紛失を防ぐことができる。
【００６２】
図１０は、図９の変形例を表す図である。キャップ１６の外周面に突起１６ｄが形成され、押しボタン２２の外周面に突起２２ａが形成される一方で、スリーブ２０の内周面には周方向に伸びる周溝２０ｂと、軸方向に伸びる縦溝２０ｃが形成されている。キャップ１６の突起１６ｄは周溝２０ｂ及び縦溝２０ｃを摺動可能となっており、押しボタン２２の突起２２ａは縦溝２０ｃを摺動可能となっている。周溝２０ｂと縦溝２０ｃとでガイド手段が構成される。
【００６３】
非使用時には、キャップ１６の突起１６ｄは、スリーブ２０の周溝２０ｂ内にある。使用する際には、キャップ１６を回転すると、その突起１６ｄが周溝２０ｂを移動して、縦溝２０ｃの位置までくると、キャップ１６と押しボタン２２との回転位置が整合して、キャップ１６の開口１６ｃと押しボタン２２の噴射部３３が整合する。さらに、キャップ１６の軸方向の移動が可能になるために、キャップ１６を直接押圧すると、押しボタン２２が押圧されて噴射部３３から洗浄液が噴射される。使用が終わって、キャップ１６を先と反対方向に回転させると、突起１６ｄが周方向に回転して、周溝２０ｂを移動する。周溝２０ｂの終端部には好ましくは小突起２０ｄが形成されているとよく、これにより、突起１６ｄは小突起２０ｄを乗り越えて、周溝２０ｂの終端部へと移動することになり、ユーザに嵌合感を与えることができる。
【００６４】
突起１６ｄが周溝２０ｂ内にあり、キャップ１６と押しボタン２２との回転位置が整合していない場合には、キャップ１６の押圧をすることができないために、不用意に洗浄液が噴射されることはなく、突起１６ｄが縦溝２０ｃに移動して、キャップ１６と押しボタン２２との回転位置が整合しているときのみ、キャップ１６及び押しボタン２２を押圧することが可能になるため、誤動作を防ぐことができる。
【００６５】
図１１は、図９のさらに他の変形例を表す図である。キャップ１６の内周面に突起１６ｄが形成され、スリーブ２０の外周面に周方向に伸びる周溝２０ｂと、軸方向に伸びる縦溝２０ｃが形成されている。この場合も、図１０と同様の作用・効果を果たすことができる。
【図面の簡単な説明】
【００６６】
【図１】本発明による携帯用局部洗浄器を表す全体断面図である。
【図２】図１の携帯用局部洗浄器の使用状態を表す図である。
【図３】本発明による充填用洗浄液カプセルを表す斜視図である。
【図４】図３の充填用洗浄液カプセルを用いて洗浄液の充填を行う状態を表す説明図である。
【図５】本発明による携帯用局部洗浄器の変形例を表す全体断面図である。
【図６】本発明による携帯用局部洗浄器の他の実施形態を表す全体断面図である。
【図７】キャップを貯留タンクに対して拘束・連結する拘束手段及び結合手段の様々な例を表す斜視図である。
【図８】本発明による携帯用局部洗浄器のキャップを貯留タンクに対して連結するための他の結合手段の例を表す斜視図である。
【図９】本発明の他の実施形態を表す図である。
【図１０】図９の変形例を表す斜視図である。
【図１１】図９のさらに他の変形例を表す斜視図である。
【符号の説明】
【００６７】
１０  携帯用局部洗浄器
１２  貯留タンク
１２ｆ  ネジ部（連結手段）
１４  ポンプ・噴射部
１６  キャップ
１６ｂ  ネジ部（連結手段）
１６ｃ  開口
２０ｂ  周溝（ガイド手段）
２０ｃ  縦溝（ガイド手段）
２２  押しボタン
２６ａ  タンク側入口
２６ｂ  漏斗部
２８  スプリング（弾性体）
３０  可撓性チューブ
３３  噴射部
４０  ストラップ部材（拘束手段）
４４ｂ  ネジ部（連結手段）
５０  充填用洗浄液カプセル
【図１】
2006006409.tif 000003
【図２】
2006006409.tif 000004
【図３】
2006006409.tif 000005
【図４】
2006006409.tif 000006
【図５】
2006006409.tif 000007
【図６】
2006006409.tif 000008
【図７】
2006006409.tif 000009
【図８】
2006006409.tif 000010
【図９】
2006006409.tif 000011
【図１０】
2006006409.tif 000012
【図１１】
2006006409.tif 000013